(57)【要約】【課題】通信カードなどのオプションカードをデジタルカメラに装着する場合に、装着状態や使用状況が操作者にわかりにくかった。【解決手段】撮像装置２０において、カードスロット６２に通信カードやメモリカードなどのオプションカード２２が装着され、その装着有無またはオプションカード２２の種類をカード検出部５６が検出する。その検出結果に応じて保存先選択部５４が撮影画像の保存先を決定する。転送処理部５２は、決定された保存先へ撮影画像を転送する。表示アイテム記憶部４８には、保存先を示すアイコンや通信状況または撮影状況などの使用状況を示すアイコンまたはテキストが格納され、状況に応じてオンスクリーン用バッファメモリ４６へ転送されると、撮影画像とオーバーラップされてＬＣＤ４４に表示される。【選択図】        図２
2004274149.tif 000002
【特許請求の範囲】
【請求項１】
装着されるべきオプションカードの装着有無およびオプションカードの種類を検出するステップと、
撮影した画像の保存先を前記検出の結果に応じて設定するステップと、
前記設定の内容を画面上で視覚的に表現するステップと、
を備えることを特徴とする撮影情報表示方法。
【請求項２】
被写体の画像を撮影する撮像部と、
オプションカードが装着されるカードスロットと、
前記オプションカードの装着有無およびオプションカードの種類を検出するカード検出部と、
撮影した画像の保存先を前記カード検出部による検出結果に応じて設定する保存先選択部と、
前記保存先選択部による設定内容を画面上で視覚的に表現する表示部と、
を備えることを特徴とする撮像装置。
【請求項３】
前記保存先選択部は、前記カードスロットに装着されたオプションカードの種類が通信カードであることを前記カード検出部が検出したときに、前記撮影した画像の保存先をネットワーク経由の格納領域に設定することを特徴とする請求項２に記載の撮像装置。
【請求項４】
前記保存先選択部は、前記カードスロットに装着されたオプションカードの種類が通信カードであることを前記カード検出部が検出した場合であって、ネットワークの接続が未確立である場合、前記撮影した画像の保存先を内蔵メモリに設定することを特徴とする請求項２に記載の撮像装置。
【請求項５】
前記保存先選択部は、前記カードスロットに前記オプションカードが未装着であることを前記カード検出部が検出したときに、前記撮影した画像の保存先を内蔵メモリに設定することを特徴とする請求項２に記載の撮像装置。
【請求項６】
前記表示部は、前記内蔵メモリにおいて前記撮影した画像を保存できる領域が不足した場合に、前記不足の解消を促す警告を画面上に表示することを特徴とする請求項４または５に記載の撮像装置。
【請求項７】
前記不足の解消を促す警告は、オプションカードの装着を促す警告、ネットワーク接続の確立を促す警告、およびメモリカードの換装を促す警告のうちいずれかを内容とすることを特徴とする請求項６に記載の撮像装置。
【請求項８】
撮影した画像の保存先を設定するステップと、
前記保存先に応じて、保存できる残りの枚数または保存済の枚数のうちいずれかを選択的に画面上に表示するステップと、
を備えることを特徴とする撮影情報表示方法。
【請求項９】
被写体の画像を撮影する撮像部と、
前記撮影した画像の保存先を設定する保存先選択部と、
前記保存先に応じて、保存できる残りの枚数または保存済の枚数のうちいずれかを選択的に画面上に表示する表示部と、
を備えることを特徴とする撮像装置。
【請求項１０】
前記表示部は、前記保存先選択部が保存先をネットワーク経由の格納領域に設定した場合、画面上に保存済の枚数を表示することを特徴とする請求項９に記載の撮像装置。
【請求項１１】
撮影した画像の保存先を複数の格納領域から選択的に設定するステップと、
前記複数の格納領域の間で前記撮影した画像が転送されるときに、その状態を画面上に視覚的に表現するステップと、
を備えることを特徴とする撮影情報表示方法。
【請求項１２】
被写体の画像を撮影する撮像部と、
前記撮影した画像の保存先を複数の格納領域から選択的に設定する保存先選択部と、
前記複数の格納領域の間で前記撮影した画像が転送されるときに、その状態を画面上に視覚的に表現する表示部と、
を備えることを特徴とする撮像装置。
【請求項１３】
前記複数の格納領域は、ネットワーク経由の格納領域、メモリカード、および内蔵メモリのうち少なくともいずれかであることを特徴とする請求項１２に記載の撮像装置。
【請求項１４】
前記表示部は、前記転送の状態として、転送元を示す情報、転送先を示す情報、転送中であることを示す情報、および転送する画像の枚数を示す情報のうち少なくともいずれかを画面上に表示することを特徴とする請求項１２または１３に記載の撮像装置。
【発明の詳細な説明】
【０００１】
【発明の属する技術分野】
本発明は、撮影情報表示方法および撮像装置に関する。本発明は特に、画像撮像時または画像再生時において画像の保存先に関連する情報を表示する技術に関する。
【０００２】
【従来の技術】
近年、撮影した画像をそのまま無線ネットワーク経由でサーバへ転送できるデジタルカメラが実現され、現在も製品化に向けて開発が進んでいる。この方式のデジタルカメラが登場する以前は、撮影した画像を無線通信で送信するといえば、デジタルカメラに専用アダプタを介して携帯電話を接続して通信するような方式が採られていた（例えば、特許文献１参照。）。
【０００３】
【特許文献１】
特開平１０−２７６３９１号公報  （全文）
【特許文献２】
特開平１１−２８４８８４号公報  （全文）
【０００４】
【発明が解決しようとする課題】
上記の従来の方式の場合、デジタルカメラから専用アダプタまたは携帯電話に電話番号の指定が送られるものの、通信設定などはすべて専用アダプタまたは携帯電話側に委ねられていた。したがって、デジタルカメラ側では通信に関する管理を行っておらず、また撮影者もデジタルカメラを通じて把握できる通信に関する情報はほとんどなかった。
【０００５】
しかしながら、現在の方式にようにデジタルカメラ本体に無線ＬＡＮ通信モジュールとその通信に必要な機能が搭載されるようになれば、カメラ側で通信に関する情報を管理する必要が生じるが、無線ＬＡＮ通信に特有な管理方法や情報提示機能はまだ備わっていないのが実状である。
【０００６】
本発明はこうした状況に鑑みなされたものであり、その目的はデジタルカメラの利便性を高める点にある。別の目的は、無線ＬＡＮカードなどの通信カードを装着可能なデジタルカメラの使用状況または機器状況を視覚的に把握しやすくする点にある。さらに別の目的は、オプションカードを装着可能なデジタルカメラの使用状況または機器状況を視覚的に把握しやすくする点にある。
【０００７】
【課題を解決するための手段】
本発明のある態様は撮影情報表示方法である。この方法は、装着されるべきオプションカードの装着有無およびオプションカードの種類を検出するステップと、撮影した画像の保存先を前記検出の結果に応じて設定するステップと、その設定の内容を画面上で視覚的に表現するステップと、を備える。
【０００８】
「オプションカード」は、デジタルスチルカメラなどの撮像装置に通信機能やメモリ機能などのオプション機能を追加するために装着されるカードタイプのモジュールであってもよい。「撮影した画像の保存先」は、撮像装置に利用できるオプションカードの種類に応じてあらかじめ異なる保存先の候補が設定されていて、その候補からいずれかが選択されてもよい。
【０００９】
オプションカードとして通信カードが撮像装置で利用できると、メモリカードしか利用できなかった従来の撮像装置に比べて画像保存先の選択肢が広がる。しかし、従来の撮像装置は画像保存先が一義的に定まってしまうので保存先を示す情報をわざわざ画面上に表示する必要はなかった。本態様によれば、画像保存先が複数想定される場合に、その時点で利用可能な保存先が例えばアイコンなどの視覚的に把握しやすい形式で画面上に表示される。これにより、撮影者はオプションカードの装着状態や保存先を一目で把握できる。
【００１０】
本発明の別の態様は撮像装置である。この装置は、被写体の画像を撮影する撮像部と、オプションカードが装着されるカードスロットと、オプションカードの装着有無およびオプションカードの種類を検出するカード検出部と、撮影した画像の保存先をカード検出部による検出結果に応じて設定する保存先選択部と、保存先選択部による設定内容を画面上で視覚的に表現する表示部と、を備える。
【００１１】
本態様においても、画像保存先が複数想定される場合にも、撮影者はオプションカードの装着状態や保存先を一目で把握できる。
【００１２】
保存先選択部は、カードスロットに装着されたオプションカードの種類が通信カードであることをカード検出部が検出したときに、撮影した画像の保存先をネットワーク経由の格納領域に設定してもよい。ただし、ネットワークの接続が未確立である場合には、撮影した画像の保存先を内蔵メモリに設定してもよい。これにより、通信状態に応じて保存先を自動的に切り替えることができる。また、保存先選択部は、カードスロットにオプションカードが未装着であることをカード検出部が検出したときに、撮影した画像の保存先を内蔵メモリに設定してもよい。このように、オプションカードの有無にかかわらず保存先を確保することができる。なお、「内蔵メモリ」は、撮像装置の操作者が指定した保存先が利用できない場合や保存先として指定できる格納領域の選択肢が存在しない状況の場合に、臨時に画像を保存しておく領域である。したがって、通常の撮影において保存前の画像を一時的に記憶するバッファメモリとは区別される。
【００１３】
表示部は、内蔵メモリにおいて撮影した画像を保存できる領域が不足した場合に、その不足の解消を促す警告を画面上に表示してもよい。不足の解消を促す警告は、オプションカードの装着を促す警告、ネットワーク接続の確立を促す警告、およびメモリカードの換装を促す警告のうちいずれかを内容としてもよい。内蔵メモリが臨時使用のために備えられた比較的小容量の領域であっても、容量超過を未然に防ぐことができる。
【００１４】
本発明のさらに別の態様は撮影情報表示方法である。この方法は、撮影した画像の保存先を設定するステップと、保存先に応じて保存できる残りの枚数または保存済の枚数のうちいずれかを選択的に画面上に表示するステップと、を備える。
【００１５】
従来、保存できる残りの枚数または保存済の枚数のいずれを画面に表示するかは撮像装置の操作者による指定に基づいて決定されるのが通常であった。しかし近年、通信カードや大容量のメモリカードが撮像装置で利用できるようになり、数百枚といった単位で保存可能な場合もある。その場合、保存できる残りの枚数がゼロに近づく状況は少ないので、むしろその時点での保存済枚数を表示する方が撮影者にとって実用的である。本態様では、保存できる残りの枚数または保存済の枚数のうちいずれを表示すべきかについて保存先の種類や状態に応じて自動的に決定する。これにより、状況に適した情報が画面上に表示され、撮像装置の操作者にとって利便性が高い。
【００１６】
本発明のさらに別の態様は撮像装置である。この装置は、被写体の画像を撮影する撮像部と、撮影した画像の保存先を設定する保存先選択部と、その保存先に応じて、保存できる残りの枚数または保存済の枚数のうちいずれかを選択的に画面上に表示する表示部と、を備える。
【００１７】
本態様においても、保存できる残りの枚数または保存済の枚数のうちいずれか状況に適した情報が画面上に表示され、撮像装置の操作者にとって利便性が高い。例えば、表示部は、保存先選択部が保存先をネットワーク経由の格納領域に設定した場合、画面上に保存済の枚数を表示してもよい。特にサーバ上の格納領域は大容量であることが多いので、保存済枚数を表示する方が実用的である。
【００１８】
本発明のさらに別の態様は撮影情報表示方法である。この方法は、撮影した画像の保存先を複数の格納領域から選択的に設定するステップと、複数の格納領域の間で撮影した画像が転送されるときに、その状態を画面上に視覚的に表現するステップと、を備える。
【００１９】
複数種のオプションカードを利用できる撮像装置において、異なる保存先間で画像を転送する機能が実現される場合、転送元や転送先など転送内容も複数パターンが考えられるので、転送状況を画面上で一目で把握できると便利である。
【００２０】
本発明のさらに別の態様は撮像装置である。この装置は、被写体の画像を撮影する撮像部と、撮影した画像の保存先を複数の格納領域から選択的に設定する保存先選択部と、複数の格納領域の間で前記撮影した画像が転送されるときに、その状態を画面上に視覚的に表現する表示部と、を備える。
【００２１】
本態様においても、複数の保存先間の画像転送として、転送元や転送先など転送内容が複数パターンが考えられる場合に、その転送内容を画面上で一目で把握できる。
【００２２】
複数の格納領域は、ネットワーク経由の格納領域、メモリカード、および内蔵メモリのうち少なくともいずれかであってもよい。表示部は、転送の状態として、転送元を示す情報、転送先を示す情報、転送中であることを示す情報、および転送する画像の枚数を示す情報のうち少なくともいずれかを画面上に表示してもよい。
【００２３】
なお、以上の構成要素の任意の組合せや、本発明の構成要素や表現を方法、装置、システム、コンピュータプログラム、プログラムを格納した記録媒体、データ構造などの間で相互に置換したものもまた、本発明の態様として有効である。
【００２４】
【発明の実施の形態】
本実施形態における撮像装置は、オプションカードとして通信カードおよびメモリカードを利用できるデジタルスチルカメラである。
図１は、撮影システム１０の基本的なネットワーク構成を示す。撮像装置２０には、オプションカード２２を装着することができ、そのオプションカード２２として通信カードを装着した場合には、撮像装置２０をネットワーク１６に接続することができる。通信カードとしてのオプションカード２２は、ＩＥＥＥ８０２．１１ａ／ｂ／ｇなどの無線ＬＡＮカードであってもよいし、１０／１００／１０００ＢＡＳＥ−Ｔなどの有線で利用するネットワークカードであってもよい。特に無線ＬＡＮカードであった場合、図のように撮像装置２０はアクセスポイント１２を介してネットワーク１６へ接続でき、撮影した画像を画像サーバ１４の格納領域に保存できる。
【００２５】
撮像装置２０や画像サーバ１４を中心とした撮影システム１０の各構成は、ハードウェア的には、ＣＣＤ、ＣＰＵ、メモリ、通信モジュール、その他のＬＳＩで実現でき、ソフトウェア的にはメモリにロードされた画像処理機能やデータ送受信機能のあるプログラムなどによって実現される。図２に記載した機能ブロックがハードウェアのみ、ソフトウェアのみ、またはそれらの組合せと連携によっていろいろな形で実現できることは、当業者には理解されるところである。
【００２６】
図２は、撮像装置２０の構成を示す機能ブロック図である。撮像装置２０は、撮像部３０、表示部３８、内蔵メモリ５０、転送処理部５２、保存先選択部５４、カード検出部５６、カードスロット６２、および制御部６４を有する。撮像部３０は、被写体からの光を取り込んで結像するレンズ３２と、結像された像を電気信号に変換するＣＣＤ３４と、電気信号をＡ／Ｄ変換しこれを圧縮処理する画像処理部３６と、を含む。
【００２７】
表示部３８は、画像処理部３６が出力する撮影画像を一時的に格納する撮影画像用バッファメモリ４０と、撮影画像に重ね合わせて表示すべきアイコンやテキストの画像を格納するオンスクリーン用バッファメモリ４６と、撮影画像のプレーンとアイコンおよびテキストのプレーンを重ね合わせてＬＣＤ４４へ出力する表示処理部４２と、表示処理部４２の出力を液晶画面に表示するＬＣＤ４４と、オンスクリーン用バッファメモリ４６へ格納させるアイコンやテキストの候補を蓄積する表示アイテム記憶部４８と、を含む。表示部３８はＬＣＤ４４上に、撮影画像の保存先や通信状態などの各情報を視覚的に表示することができる。
【００２８】
撮影画像用バッファメモリ４０は、ＪＰＥＧ形式やＭＰＥＧ形式などで圧縮された静止画または動画のデータを一時的に記憶するＲＡＭであり、画像処理部３６が出力する撮影画像の他、転送処理部５２が出力する再生画像も格納される。
【００２９】
カードスロット６２は、オプションカード２２が装着されてそのオプションカード２２がもつ機能をこの撮像装置２０へ組み込むためのユニットである。カード検出部５６は、カードスロット６２へのオプションカード２２の装着有無を検出する装着検出部５８と、カードスロット６２に装着されたオプションカード２２の種類を検出する種類検出部６０と、を含む。
【００３０】
内蔵メモリ５０は、オプションカード２２が未装着の場合、またはオプションカード２２として通信カードが装着されているものの通信の接続が未確立である場合に、撮影画像を臨時に保管する。
【００３１】
保存先選択部５４は、装着検出部５８および種類検出部６０の検出結果に基づいて撮影画像の保存先を設定する。例えば、装着検出部５８がオプションカード２２の装着を検出するとともに、そのオプションカード２２が無線ＬＡＮカードなどの通信カードであった場合、保存先選択部５４は保存先を画像サーバ１４上の格納領域に設定する。オプションカード２２がメモリカードであった場合、保存先選択部５４は保存先をオプションカード２２内の格納領域に設定する。オプションカード２２が未装着であることを装着検出部５８が検出した場合、保存先選択部５４は保存先を内蔵メモリ５０に設定する。オプションカード２２として通信カードの装着が検出された場合であっても、転送処理部５２を通じて画像サーバ１４とのネットワーク接続が未確立であることが検出された場合、保存先選択部５４は保存先を内蔵メモリ５０に設定する。
【００３２】
保存先選択部５４は、保存先に応じて、保存できる残りの枚数または保存済の枚数のうちいずれを表示部３８に表示させるべきかを決定する。例えば、保存先を画像サーバ１４上の格納領域に設定した場合は、保存済の枚数を表示するよう決定する。例えば、保存先をメモリカードであるオプションカード２２内の格納領域または内蔵メモリ５０に設定した場合は、保存できる残りの枚数を表示するよう決定する。保存先選択部５４は、保存できる残りの枚数または保存済の枚数を表示するために必要なアイコンとテキストを表示アイテム記憶部４８から選択してオンスクリーン用バッファメモリ４６へ格納する。
【００３３】
転送処理部５２は、撮影画像用バッファメモリ４０に格納された撮影画像を、保存先選択部５４によって設定された保存先へ転送する。例えば、撮影画像が撮影画像用バッファメモリ４０に格納されたときに、その画像を画像サーバ１４、メモリカードであるオプションカード２２、内蔵メモリ５０のいずれかに転送する。オプションカード２２が通信カードの場合、転送処理部５２は通信状態を監視する。転送処理部５２は、保存先または通信状態を示すアイコンやテキストを表示アイテム記憶部４８から選択してオンスクリーン用バッファメモリ４６へ格納する。
【００３４】
転送処理部５２は、内蔵メモリ５０において撮影画像を保存できる領域が不足した場合に、その不足の解消を促す警告を示すアイコンやテキストを表示アイテム記憶部４８から選択してオンスクリーン用バッファメモリ４６に格納する。その警告は、オプションカード２２の装着を促す警告、画像サーバ１４とのネットワーク接続の確立を促す警告、およびオプションカード２２としてメモリカードの換装を促す警告のうちいずれかを内容とする。
【００３５】
転送処理部５２は、複数の格納領域の間で撮影画像を転送する。例えば、オプションカード２２が未装着のときに内蔵メモリ５０に格納された撮影画像を、オプションカード２２としてメモリカードが装着されたときにその格納領域へ転送する。同様に、オプションカード２２が未装着のときに内蔵メモリ５０に格納された撮影画像を、オプションカード２２として通信カードが装着されたときに画像サーバ１４上の格納領域へ転送する。転送処理部５２は、これらの転送の状態として、転送元を示す情報、転送先を示す情報、転送中であることを示す情報、および転送する画像の枚数を示す情報としてのアイコンやテキストを表示アイテム記憶部４８から選択してオンスクリーン用バッファメモリ４６へ格納する。
【００３６】
制御部６４は、撮像部３０、表示部３８などの各部の動作を制御する。操作部６６は操作者からの操作を受け付け、その操作に応じて制御部６４が各部を動作させる。
【００３７】
図３は、撮像装置２０における各動作の切替を示す状態遷移図である。撮像装置２０の電源をオンすると第１の状態７０になり、オプションカード２２の有無および種類を検出して保存先を設定する。検出が完了して第２の状態７２に遷移してから撮影または再生が実行され、シャッターボタンの押下または再生画像のセレクトボタンの押下がなされるたびに撮影または再生を繰り返す。ここで、オプションカード２２が未装着のときに装着がなされた場合、または装着されていたオプションカード２２が取り出された場合に、再び第１の状態７０へ遷移し、オプションカード２２の有無および種類を検出して保存先を設定しなおす。
【００３８】
第２の状態７２において撮像装置２０の操作者が詳細情報の表示を指示した場合、第３の状態７４に遷移して撮影条件や再生画像に関する詳細な情報をＬＣＤ４４に表示する。詳細な情報が複数ページにわたる場合は、次または前のページへ移動するボタンが押下されるたびに、画面の再描画を繰り返す。第３の状態７４において詳細情報の表示をキャンセルする指示がなされた場合、第２の状態７２に再び遷移して撮影または再生が可能となる。第３の状態７４においてオプションカード２２の装着または取り出しがなされた場合、第１の状態７０へ遷移し、オプションカード２２の有無および種類を検出して保存先を設定しなおす。
【００３９】
図４は、図３の第１の状態７０における動作の過程を示すフローチャートである。まず、直前に装着されていたオプションカード２２の種類（以下、「ＣＴ」という）の設定として残っている情報を参照し、そのＣＴが通信カードを示す場合（Ｓ１０Ｙ）、いったん画像サーバ１４とのネットワーク接続の監視を停止する（Ｓ１２）。ＣＴが通信カード以外を示す場合は（Ｓ１０Ｎ）、Ｓ１２をスキップする。
【００４０】
カード検出部５６がオプションカード２２の装着有無および種類を検出し、その結果をＣＴに設定する（Ｓ１４）。オプションカード２２が未装着であることを示す値がＣＴに設定されている場合（Ｓ１６Ｙ）、後続のＳ１８、Ｓ２０、Ｓ２２をスキップする。逆に、オプションカード２２が未装着であること以外を示す値がＣＴに設定されている場合（Ｓ１６Ｎ）、オプションカード２２を初期化し（Ｓ１８）、ＣＴが通信カードを示す場合は（Ｓ２０Ａ）画像サーバ１４とのネットワーク接続の監視を開始し（Ｓ２２）、ＣＴがメモリカードを示す場合は（Ｓ２０Ｂ）Ｓ２２をスキップする。
【００４１】
オプションカード２２の検出結果に応じてＣＴの値に変化があった場合（Ｓ２４Ｙ）、保存先選択部５４は撮影画像の保存先を変更する（Ｓ２６）。ＣＴの値に変化がなかった場合は（Ｓ２４Ｎ）、Ｓ２６をスキップする。
【００４２】
図５は、図４のＳ２２においてネットワーク接続を監視する詳細な動作の過程を示すフローチャートである。ＣＴが無線ＬＡＮカードを示す場合（Ｓ３０Ｙ）、電波の状態を取得し（Ｓ３２）、電波の状態が良好か否かを検出する（Ｓ３４）。Ｓ３０においてＣＴが無線ＬＡＮカード以外を示す場合（Ｓ３０Ｎ）、Ｓ３２とＳ３４をスキップする。
【００４３】
Ｓ３４において電波の状態が良好な場合（Ｓ３４Ｙ）、例えばＰｉｎｇを送るなどの方法で画像サーバ１４とのネットワーク接続の確認を試み（Ｓ３６）、画像サーバ１４から応答があれば（Ｓ３８Ｙ）、通信接続状態（以下、「ＣＳ」という）に「ＯＫ」の値を設定する（Ｓ４０）。Ｓ３４において電波の状態が良好でない場合や（Ｓ３４Ｎ）、Ｓ３８において画像サーバ１４からの応答を受け取れなかった場合（Ｓ３８Ｎ）、ＣＳに「ＮＧ」の値を設定する（Ｓ４２）。
【００４４】
Ｓ４０またはＳ４２においてＣＳの値に変化があった場合（Ｓ４４Ｙ）、保存先選択部５４は撮影画像の保存先を変更する（Ｓ４６）。ＣＳの値に変化がなかった場合（Ｓ４４Ｎ）、Ｓ４６をスキップする。以上のＳ３０からＳ４６までのステップを数秒の周期で繰り返しバックグラウンドで実行する。
【００４５】
図６は、図４のＳ２６および図５のＳ４６において保存先選択部５４が撮影画像の保存先を変更する詳細な動作を示すフローチャートである。ＣＴがオプションカード２２未装着を示す場合は（Ｓ５０Ａ）、保存先（以下、適宜「ＳＰ」という）を内蔵メモリ５０に設定し（Ｓ５４）、画面を再描画する（Ｓ６４）。
【００４６】
ＣＴが通信カードを示す場合であって（Ｓ５０Ｂ）、ＣＳが「ＯＫ」を示す場合は（Ｓ５２Ｙ）、ＳＰを画像サーバ１４に設定し（Ｓ５６）、ＣＳが「ＮＧ」を示す場合は（Ｓ５２Ｎ）、ＳＰを内蔵メモリ５０に設定する（Ｓ５４）。ＣＴがメモリカードを示す場合（Ｓ５０Ｃ）、ＳＰをメモリカード内の格納領域に設定する（Ｓ５８）。ここで、Ｓ５６およびＳ５８以前のＳＰが内蔵メモリ５０に設定されていた場合（Ｓ６０Ｙ）、内蔵メモリ５０に格納された撮影画像のデータをＳＰに応じて画像サーバ１４またはメモリカードに転送するタスクを起動し（Ｓ６２）、画面を再描画する（Ｓ６４）。
【００４７】
図７は、図３の第２の状態７２における撮影動作の過程を示すフローチャートである。撮像部３０は被写体の画像を撮影し（Ｓ７０）、その撮影画像を圧縮し（Ｓ７２）、ＳＰに設定された保存先へ撮影画像を保存し（Ｓ７４）、画面を再描画する（Ｓ７６）。
【００４８】
図８は、図６のＳ６２において内蔵メモリ５０に格納された撮影画像を転送する詳細な動作の過程を示すフローチャートである。内蔵メモリ５０に格納された撮影画像を画像サーバ１４またはメモリカードへの転送要否を示す転送フラグ（以下、「ＦＦ」という）をオンにする（Ｓ８０）。内蔵メモリ５０に未転送の撮影画像が残存している場合であって（Ｓ８２Ｙ）、ＳＰが画像サーバ１４またはメモリカードに設定されている場合（Ｓ８４Ｙ）、画面を再描画し（Ｓ８６）、内蔵メモリ５０から撮影画像を読み出して（Ｓ８８）、ＳＰへ保存して（Ｓ９０）、Ｓ８２に戻る。
【００４９】
Ｓ８２において、内蔵メモリ５０に未転送の撮影画像が残存していない場合（Ｓ８２Ｎ）、または内蔵メモリ５０に未転送の撮影画像が残存しているがＳＰは画像サーバ１４でもメモリカードでもない場合（Ｓ８４Ｎ）、Ｓ８６〜Ｓ９０をスキップしてＦＦをオフにし（Ｓ９２）、画面を再描画する（Ｓ９４）。
【００５０】
図９は、図６のＳ６４、図７のＳ７６、図８のＳ８６およびＳ９４における画面再描画の詳細な動作を示すフローチャートである。保存先の状況やネットワーク接続の状況を示すアイコンを表示アイテム記憶部４８から選択するとともに（Ｓ１００）、それら状況を示すテキストを表示アイテム記憶部４８から選択する（Ｓ１０２）。選択したアイコンやテキストをオンスクリーン用バッファメモリ４６に格納してＬＣＤ４４へ表示させる（Ｓ１０４）。ＳＰが内蔵メモリ５０であって、残りの保存可能枚数がゼロの場合（Ｓ１０６Ｙ）、その旨の警告をＬＣＤ４４へ表示する（Ｓ１０８）。ＳＰが内蔵メモリ５０でない場合や残りの保存可能枚数がゼロでない場合は（Ｓ１０６Ｎ）、Ｓ１０８をスキップする。
【００５１】
図１０は、表示アイテム記憶部４８に格納されたアイコンとテキストの対応を示すテーブルである。表示内容テーブル８０において、カードタイプ欄８２にはＣＴとしてオプションカード未装着、メモリカード、通信カードの３種類の項目が含まれる。接続状態欄８４には通信の接続状態を示すＣＳの値としてＯＫ、ＮＧ、またはＮＵＬＬが格納される。転送フラグ欄８６には転送フラグを示すＦＦの値として、ＯＮ、ＯＦＦ、またはＮＵＬＬが格納される。アイコン欄８８には、ＣＳの値、ＦＦの値、または転送の状態を示すアイコンとの対応が格納される。テキストフォーマット欄９０には、表示すべきテキストのフォーマットが格納される。なお、ＮＵＬＬはその項目がどのような値でも良いことを表す。
【００５２】
第１の装着状態９２の項目としては、カードタイプ欄８２に「カード装着なし」、接続状態欄８４および転送フラグ欄８６に「ＮＵＬＬ」、アイコン欄８８に内蔵メモリ５０のアイコン、テキストフォーマット欄９０に「内蔵メモリ残り枚数」を表示するための形式がそれぞれ格納される。第２の装着状態９４の項目としては、カードタイプ欄８２に「メモリカード」、接続状態欄８４に「ＮＵＬＬ」、転送フラグ欄８６には「ＯＮ」または「ＯＦＦ」が格納される。転送フラグ欄８６が「ＯＮ」の場合、アイコン欄８８に内蔵メモリ５０からメモリカードへ転送する形のアイコン、テキストフォーマット欄９０に「メモリカード残り枚数」と「内蔵メモリの残り枚数」を表示するための形式がそれぞれ格納される。
【００５３】
第３の装着状態９６の項目としては、カードタイプ欄８２に「通信カード」、接続状態欄８４には「ＯＫ」または「ＮＧ」が格納される。接続状態欄８４が「ＯＫ」の場合、転送フラグ欄８６に「ＯＮ」または「ＯＦＦ」が格納される。転送フラグ欄８６が「ＯＮ」の場合、アイコン欄８８には内蔵メモリ５０から画像サーバ１４へ転送する形のアイコン、テキストフォーマット欄９０には「サーバへの保存枚数」と「内蔵メモリの残り枚数」を表示するための形式がそれぞれ格納される。転送フラグ欄８６が「ＯＦＦ」の場合、アイコン欄８８には画像サーバ１４のアイコン、テキストフォーマット欄９０には「サーバへの保存枚数」を表示するための形式が格納される。接続状態欄８４が「ＮＧ」の場合、転送フラグ欄８６には「ＮＵＬＬ」、アイコン欄８８には画像サーバ１４へは保存不能でその代替として内蔵メモリ５０へ保存する形のアイコン、テキストフォーマット欄９０には「内蔵メモリ５０の残り枚数」を表示するための形式が格納される。
【００５４】
図１１は、ＬＣＤ４４へアイコンとテキストを表示するときの画面例を示す。無線ＬＡＮカードの通信が未確立のときは第１の画面１０２が表示され、画像サーバ１４が保存不能であることを示すアイコンと内蔵メモリ５０がＳＰとして設定されていることを示すアイコンが表示され、その下に残りの保存可能枚数として「８」の数字が表示される。画面中央下部にはテキストで「撮影したデータは内蔵メモリへ保存」と表示される。また、無線ＬＡＮカードの通信が確立したときは画面が第２の画面１０４に切り替わり、内蔵メモリ５０から画像サーバ１４へ撮影画像が転送されることを示すアイコンが表示される。その下には画像サーバ１４に保存済みの枚数として「２３８」の数字と、未転送の画像枚数として「３」の数字が表示される。これらの数字は数値表示１０６に示す通り、保存済みの枚数を「２３８、２３９、２４０」と増加させるのに対して、未転送の枚数を「３、２、１」と減少させながら表示内容の再描画を繰り返す。画像の転送が終わると第３の画面１００へ切り替わる。第３の画面１００には、ＳＰが画像サーバ１４に設定されていることを示すアイコンとその下に現在の保存済み枚数である「２４０」の数字が表示され、画面中央下部にテキスト「撮影したデータはサーバへ送信」が表示されている。無線ＬＡＮカードが通信圏外に入って再度通信が途絶えたときは画面が第１の画面１０２に切り替わる。
【００５５】
図１２は、撮影条件または再生画像に関する詳細情報を表示する過程を示すフローチャートである。まず詳細情報を生成し（Ｓ１１０）、詳細情報の全ページ数を示すＭＰを設定するとともに現在のページを示すＣＰに１を設定する（Ｓ１１２）。ＣＰページ目の詳細情報を表示し（Ｓ１１４）、次に操作者により押下されたキーがキャンセルキーであれば（Ｓ１１６Ａ）、撮影または再生のモードへ移行する（Ｓ１２２）。押下されたキーが次のページへの移行を指示するキーであれば（Ｓ１１６Ｂ）、ＣＰをインクリメントする。ただし、ＣＰがＭＰ以上に達しているときはＣＰに１を設定して（Ｓ１１８）、Ｓ１１４へ戻る。押下されたキーが前のページへの移行を指示するキーであれば（Ｓ１１６Ｃ）、ＣＰをデクリメントする。ただし、ＣＰが１以下に達しているときはＣＰにＭＰの値を設定して（Ｓ１２０）、Ｓ１１４へ戻る。
【００５６】
図１３は、図１２のＳ１１０において詳細情報を生成する詳細な過程を示すフローチャートである。現在のモードが撮影モードである場合（Ｓ１３０Ａ）、撮影条件を示すページを追加し（Ｓ１３２）、現在のモードが再生モードである場合（Ｓ１３０Ｎ）、再生中の画像の詳細情報を示すページを追加する（Ｓ１３４）。
【００５７】
ＣＴが通信カードを示す値である場合（Ｓ１３６Ｙ）、ネットワークの状態を示す詳細情報のページを追加し（Ｓ１３８）、さらにＣＴが無線ＬＡＮカードを示す値である場合は（Ｓ１４０Ｙ）、無線通信関連の状態を示す詳細情報のページを追加する（Ｓ１４２）。Ｓ１４０においてＣＴが無線ＬＡＮカード以外の値を示す場合は（Ｓ１４０Ｎ）、Ｓ１４２をスキップし、Ｓ１３６においてＣＴが通信カード以外の値を示す場合は（Ｓ１３６Ｎ）、Ｓ１３８〜Ｓ１４２をスキップする。
【００５８】
図１４は、詳細情報を表示するときの画面例を示す。第１の詳細表示１１０においては、撮影条件の詳細な情報として、解像度やＩＳＯ感度などの情報が表示される。第２の詳細表示１１２においては、ネットワークの状態を示す詳細な情報として、ＩＰアドレスやサブネットマスクなどの情報が表示される。第３の詳細表示１１４においては、無線ＬＡＮ関連の詳細な情報として、通信モードやＥＳＳ−ＩＤなどの情報が表示される。
【００５９】
以上、本発明を実施の形態をもとに説明した。この実施の形態は例示であり、その各構成要素や各処理プロセスの組合せにいろいろな変形例が可能なこと、またそうした変形例も本発明の範囲にあることは当業者に理解されるところである。
【００６０】
【発明の効果】
本発明によれば、通信カードを含む複数種のオプションカードを装着して機能させることのできるデジタルカメラにおいて、使用する上での有用な情報を画面に視覚的に表示して利便性を高めることができる。
【図面の簡単な説明】
【図１】撮影システムの基本的なネットワーク構成を示す図である。
【図２】撮像装置の構成を示す機能ブロック図である。
【図３】撮像装置における各動作の切替を示す状態遷移図である。
【図４】図３の第１の状態における動作の過程を示すフローチャートである。
【図５】図４のＳ２２においてネットワーク接続を監視する詳細な動作の過程を示すフローチャートである。
【図６】図４のＳ２６および図５のＳ４６において保存先選択部が撮影画像の保存先を変更する詳細な動作を示すフローチャートである。
【図７】図３の第２の状態における撮影動作の過程を示すフローチャートである。
【図８】図６のＳ６２において内蔵メモリに格納された撮影画像を転送する詳細な動作の過程を示すフローチャートである。
【図９】図６のＳ６４、図７のＳ７６、図８のＳ８６およびＳ９４における画面再描画の詳細な動作を示すフローチャートである。
【図１０】表示アイテム記憶部に格納されたアイコンとテキストの対応を示すテーブルの図である。
【図１１】ＬＣＤへアイコンとテキストを表示するときの画面例を示す図である。
【図１２】撮影条件または再生画像に関する詳細情報を表示する過程を示すフローチャートである。
【図１３】図１２のＳ１１０において詳細情報を生成する詳細な過程を示すフローチャートである。
【図１４】詳細情報を表示するときの画面例を示す図である。
【符号の説明】
１０  撮影システム、  １４  画像サーバ、  １６  ネットワーク、  ２０  撮像装置、  ２２  オプションカード、  ３０  撮像部、  ３８  表示部、  ５０  内蔵メモリ、  ５４  保存先選択部、  ５６  カード検出部、  ６２  カードスロット。
【図１】
2004274149.tif 000003
【図２】
2004274149.tif 000004
【図３】
2004274149.tif 000005
【図４】
2004274149.tif 000006
【図５】
2004274149.tif 000007
【図６】
2004274149.tif 000008
【図７】
2004274149.tif 000009
【図８】
2004274149.tif 000010
【図９】
2004274149.tif 000011
【図１０】
2004274149.tif 000012
【図１１】
2004274149.tif 000013
【図１２】
2004274149.tif 000014
【図１３】
2004274149.tif 000015
【図１４】
2004274149.tif 000016